【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
インクを吐出するための記録ヘッドを走査する動作と、記録媒体を搬送する動作とを行い、前記記録媒体にドットの画像を記録するためのインクジェット記録装置であって、
多値の画像データの画素に対して、ドットの配置が定められたドット配置パターンを割当てることにより、２値の画像データを得るためのドット配置手段と、
前記ドット配置手段より得られる２値の画像データを前記記録ヘッドの複数回の走査で記録するために、前記２値の画像データと予め定められたマスクパターンとに基づいて、前記複数回の走査のそれぞれに対応した２値の画像データを生成するための生成手段とを具備し、
前記ドット配置手段は、前記マスクパターンを参照することによって、ドットの配置が異なる複数の前記ドット配置パターンの中から、前記画素に対して割当てるための前記ドット配置パターンを１つ選択することを特徴とするインクジェット記録装置。
【請求項２】
前記ドット配置手段は、前記ドット配置パターン内の複数のドットが互いに異なる走査で記録されるように、前記マスクパターンを参照することによって前記ドット配置パターンを選択することを特徴とする請求項１に記載のインクジェット記録装置。
【請求項３】
前記ドット配置手段は、ほぼ均等にドットが記録される前記複数回の走査によって画像が完成される様に、前記マスクパターンを参照することによって、前記ドット配置パターンを選択することを特徴とする請求項１に記載のインクジェット記録装置。
【請求項４】
前記記録ヘッドは、インクを吐出するための複数の吐出口列を有し、
前記ドット配置手段は、前記複数の吐出口列の吐出頻度がほぼ均等になる様に、前記マスクパターンを参照することによって、前記ドット配置パターンを選択することを特徴とする請求項１に記載のインクジェット記録装置。
【請求項５】
インクを吐出するための記録ヘッドを走査する動作と、記録媒体を搬送する動作とを行い、前記記録媒体にドットの画像を記録するためのインクジェット記録方法であって、
多値の画像データの画素に対して、ドットの配置が定められたドット配置パターンを割当てることにより、２値の画像データを得るためのドット配置工程と、
前記ドット配置工程において得られる２値の画像データを前記記録ヘッドの複数回の走査で記録するために、前記２値の画像データと予め定められたマスクパターンとに基づいて、前記複数回の走査のそれぞれに対応した２値の画像データを生成する生成工程と、
前記２値の画像データに基づいて前記記録ヘッドからインクを吐出する吐出工程とを有し、
前記ドット配置工程では、ドットの配置が異なる複数の前記ドット配置パターンの中から、前記マスクパターンを参照することによって選択された１つの前記ドット配置パターンを、前記画素に対して割当てることを特徴とするインクジェット記録方法。
【請求項６】
複数の記録素子を有する記録ヘッドを走査する動作と、記録媒体を搬送する動作とを行い、前記記録媒体にドットの画像を記録するためのインクジェット記録装置において用いられるデータを生成するデータ生成装置であって、
多値の画像データの画素に対して、ドットの配置が定められたドット配置パターンを割当てることにより、２値の画像データを得るためのドット配置手段と、
前記ドット配置手段より得られる２値の画像データを前記記録ヘッドの複数回の走査で記録するために、前記２値の画像データと予め定められたマスクパターンとに基づいて、前記複数回の走査のそれぞれに対応した２値の画像データを生成するための生成手段とを具備し、
前記ドット配置手段は、前記マスクパターンを参照することによって、ドットの配置が異なる複数の前記ドット配置パターンの中から、前記画素に対して割当てるための前記ドット配置パターンを１つ選択することを特徴とするデータ生成装置。
【請求項７】
複数の記録素子を有する記録ヘッドを走査する動作と、記録媒体を搬送する動作とを行い、前記記録媒体にドットの画像を記録するためのインクジェット記録装置において用いられるデータを生成する処理をコンピュータに実行させるためのプログラムであって、
多値の画像データの画素に対して、ドットの配置が定められたドット配置パターンを割当てることにより、２値の画像データを得るためのドット配置工程と、
前記ドット配置工程において得られる２値の画像データを前記記録ヘッドの複数回の走査で記録するために、前記２値の画像データと予め定められたマスクパターンとに基づいて、前記複数回の走査のそれぞれに対応した２値の画像データを生成する生成工程とを有し、
前記ドット配置工程では、ドットの配置が異なる複数の前記ドット配置パターンの中から、前記マスクパターンを参照することによって選択された１つの前記ドット配置パターンを、前記画素に対して割当てることを特徴とするプログラム。
【手続補正２】
【補正対象書類名】明細書
【補正対象項目名】００２６
【補正方法】変更
【補正の内容】
【００２６】
そのために本発明では、インクを吐出するための記録ヘッドを走査する動作と、記録媒体を搬送する動作とを行い、前記記録媒体にドットの画像を記録するためのインクジェット記録装置であって、多値の画像データの画素に対して、ドットの配置が定められたドット配置パターンを割当てることにより、２値の画像データを得るためのドット配置手段と、前記ドット配置手段より得られる２値の画像データを前記記録ヘッドの複数回の走査で記録するために、前記２値の画像データと予め定められたマスクパターンとに基づいて、前記複数回の走査のそれぞれに対応した２値の画像データを生成するための生成手段とを具備し、前記ドット配置手段は、前記マスクパターンを参照することによって、ドットの配置が異なる複数の前記ドット配置パターンの中から、前記画素に対して割当てるための前記ドット配置パターンを１つ選択することを特徴とする。
【手続補正３】
【補正対象書類名】明細書
【補正対象項目名】００２７
【補正方法】変更
【補正の内容】
【００２７】
また、インクを吐出するための記録ヘッドを走査する動作と、記録媒体を搬送する動作とを行い、前記記録媒体にドットの画像を記録するためのインクジェット記録方法であって、多値の画像データの画素に対して、ドットの配置が定められたドット配置パターンを割当てることにより、２値の画像データを得るためのドット配置工程と、前記ドット配置工程において得られる２値の画像データを前記記録ヘッドの複数回の走査で記録するために、前記２値の画像データと予め定められたマスクパターンとに基づいて、前記複数回の走査のそれぞれに対応した２値の画像データを生成する生成工程と、前記２値の画像データに基づいて前記記録ヘッドからインクを吐出する吐出工程とを有し、前記ドット配置工程では、ドットの配置が異なる複数の前記ドット配置パターンの中から、前記マスクパターンを参照することによって選択された１つの前記ドット配置パターンを、前記画素に対して割当てることを特徴とする。
【手続補正４】
【補正対象書類名】明細書
【補正対象項目名】００２８
【補正方法】変更
【補正の内容】
【００２８】
さらに、複数の記録素子を有する記録ヘッドを走査する動作と、記録媒体を搬送する動作とを行い、前記記録媒体にドットの画像を記録するためのインクジェット記録装置において用いられるデータを生成するデータ生成装置であって、多値の画像データの画素に対して、ドットの配置が定められたドット配置パターンを割当てることにより、２値の画像データを得るためのドット配置手段と、前記ドット配置手段より得られる２値の画像データを前記記録ヘッドの複数回の走査で記録するために、前記２値の画像データと予め定められたマスクパターンとに基づいて、前記複数回の走査のそれぞれに対応した２値の画像データを生成するための生成手段とを具備し、前記ドット配置手段は、前記マスクパターンを参照することによって、ドットの配置が異なる複数の前記ドット配置パターンの中から、前記画素に対して割当てるための前記ドット配置パターンを１つ選択することを特徴とする。
【手続補正５】
【補正対象書類名】明細書
【補正対象項目名】００２９
【補正方法】変更
【補正の内容】
【００２９】
さらにまた、複数の記録素子を有する記録ヘッドを走査する動作と、記録媒体を搬送する動作とを行い、前記記録媒体にドットの画像を記録するためのインクジェット記録装置において用いられるデータを生成する処理をコンピュータに実行させるためのプログラムであって、多値の画像データの画素に対して、ドットの配置が定められたドット配置パターンを割当てることにより、２値の画像データを得るためのドット配置工程と、前記ドット配置工程において得られる２値の画像データを前記記録ヘッドの複数回の走査で記録するために、前記２値の画像データと予め定められたマスクパターンとに基づいて、前記複数回の走査のそれぞれに対応した２値の画像データを生成する生成工程とを有し、前記ドット配置工程では、ドットの配置が異なる複数の前記ドット配置パターンの中から、前記マスクパターンを参照することによって選択された１つの前記ドット配置パターンを、前記画素に対して割当てることを特徴とする。